【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
未定着画像を記録媒体上に定着する定着手段と、前記定着手段により定着された記録媒体上の画像を検知する検知手段と、を有する画像形成装置において、
前記検知手段を保持し前記検知手段と記録媒体の距離が一定となるよう記録媒体の搬送をガイドする搬送ガイドを有し、前記搬送ガイドは記録媒体の搬送路へ進退可能であり、搬送路進入時、前記搬送ガイドは記録媒体と接することを特徴とする画像形成装置。
【請求項２】
前記搬送ガイドは第１の搬送ガイドであり、前記搬送路を介して前記第１の搬送ガイドとは反対側に第２の搬送ガイドを有し、前記第１の搬送ガイドの搬送路進入時、記録媒体は前記第１の搬送ガイドと前記第２の搬送ガイドにより挟まれることを特徴とする請求項１記載の画像形成装置。
【請求項３】
前記第１の搬送ガイドは、記録媒体と接触するローラを有することを特徴とする請求項１記載の画像形成装置。
【請求項４】
前記第２の搬送ガイドは、前記第１の搬送ガイドのローラと対向するローラを有することを特徴とする請求項３記載の画像形成装置。
【請求項５】
前記第２の搬送ガイドのローラは駆動することを特徴とする請求項４記載の画像形成装置。
【請求項６】
前記搬送ガイド進退方向は、記録媒体の搬送方向と直交する方向であることを特徴とする請求項１記載の画像形成装置。
【請求項７】
前記搬送路において前記搬送ガイドを有する部分より記録媒体の搬送方向下流側に記録媒体を搬送するフィードローラと、前記搬送路における記録媒体の搬送方向で前記フィードローラの上流において前記搬送路における記録媒体の有無を検知する記録媒体検知手段とを有し、前記記録媒体検知手段の検知信号により、記録媒体の搬送方向先端が前記フィードローラに狭持されるタイミングで前記搬送ガイドを前記搬送路に進入させ、記録媒体の搬送方向後端が前記搬送ガイドとの対向部分を通過したタイミングで前記搬送ガイドを退避させることを特徴とする請求項１記載の画像形成装置。
【請求項８】
前記搬送路における前記搬送ガイドを有する部分よりも記録媒体搬送方向上流側に前記搬送路における記録媒体の有無を検知する記録媒体検知手段を有し、前記記録媒体検知手段の検知信号により、記録媒体上の画像が前記検知手段の読み取り位置に到達する前に前記搬送ガイドを前記搬送路に進入させ、前記検知手段による画像の検知後に前記搬送ガイドを退避させることを特徴とする請求項１記載の画像形成装置。
【請求項９】
前記検知手段は、記録媒体上の画像の濃度又は色度を検知することを特徴とする請求項１記載の画像形成装置。
【手続補正２】
【補正対象書類名】明細書
【補正対象項目名】０００６
【補正方法】変更
【補正の内容】
【０００６】
上記目的は本発明に係る画像形成装置にて達成される。要約すれば、本発明は、未定着画像を記録媒体上に定着する定着手段と、前記定着手段により定着された記録媒体上の画像を検知する検知手段と、を有する画像形成装置において、
前記検知手段を保持し前記検知手段と記録媒体の距離が一定となるよう記録媒体の搬送をガイドする搬送ガイドを有し、前記搬送ガイドは記録媒体の搬送路へ進退可能であり、搬送路進入時、前記搬送ガイドは記録媒体と接することを特徴とする画像形成装置を提供する。
【手続補正３】
【補正対象書類名】明細書
【補正対象項目名】０００７
【補正方法】変更
【補正の内容】
【０００７】
本発明の一実施態様によると、前記搬送ガイドは第１の搬送ガイドであり、前記搬送路を介して前記第１の搬送ガイドとは反対側に第２の搬送ガイドを有し、前記第１の搬送ガイドの搬送路進入時、記録媒体は前記第１の搬送ガイドと前記第２の搬送ガイドにより挟まれる。
【手続補正４】
【補正対象書類名】明細書
【補正対象項目名】０００８
【補正方法】変更
【補正の内容】
【０００８】
本発明の他の実施態様によると、前記第１の搬送ガイドは、記録媒体と接触するローラを有する。他の実施態様によると、前記第２の搬送ガイドは、前記第１の搬送ガイドのローラと対向するローラを有する。また、他の実施態様によると、前記第２の搬送ガイドのローラは駆動する。
【手続補正５】
【補正対象書類名】明細書
【補正対象項目名】０００９
【補正方法】変更
【補正の内容】
【０００９】
本発明の他の実施態様によると、前記搬送ガイド進退方向は、記録媒体の搬送方向と直交する方向である。
【手続補正６】
【補正対象書類名】明細書
【補正対象項目名】００１０
【補正方法】変更
【補正の内容】
【００１０】
本発明の他の実施態様によると、前記搬送路において前記搬送ガイドを有する部分より記録媒体の搬送方向下流側に記録媒体を搬送するフィードローラと、前記搬送路における記録媒体の搬送方向で前記フィードローラの上流において前記搬送路における記録媒体の有無を検知する記録媒体検知手段とを有し、前記記録媒体検知手段の検知信号により、記録媒体の搬送方向先端が前記フィードローラに狭持されるタイミングで前記搬送ガイドを前記搬送路に進入させ、記録媒体の搬送方向後端が前記搬送ガイドとの対向部分を通過したタイミングで前記搬送ガイドを退避させる。
【手続補正７】
【補正対象書類名】明細書
【補正対象項目名】００１１
【補正方法】変更
【補正の内容】
【００１１】
本発明の他の実施態様によると、前記搬送路における前記搬送ガイドを有する部分よりも記録媒体搬送方向上流側に前記搬送路における記録媒体の有無を検知する記録媒体検知手段を有し、前記記録媒体検知手段の検知信号により、記録媒体上の画像が前記検知手段の読み取り位置に到達する前に前記搬送ガイドを前記搬送路に進入させ、前記検知手段による画像の検知後に前記搬送ガイドを退避させる。
【手続補正８】
【補正対象書類名】明細書
【補正対象項目名】００１２
【補正方法】変更
【補正の内容】
【００１２】
本発明の他の実施態様によると、前記検知手段は、記録媒体上の画像の濃度又は色度を検知する。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
本発明によれば、画像の物性として濃度及び色度を構成するテストモードを実行した際、画像制御用現像剤像を担持した記録媒体表面と画像検知手段との距離を規制し、記録媒体の波打ちや搬送によるばたつきを抑えるので、精度よく画像の物性を測定することができる。
【手続補正１１】
【補正対象書類名】明細書
【補正対象項目名】００４５
【補正方法】変更
【補正の内容】
【００４５】
そこで、本実施例においては、定着部１０２から排出部１１２までの搬送時のメディアＳを、カラーセンサ１２０による測定時にセンサ１２０との距離、ここではセンサ１２０からの光がパッチ３０１まで移動する距離を固定する手段を設けることによって、この問題を解決した。
【手続補正１２】
【補正対象書類名】明細書
【補正対象項目名】００４７
【補正方法】変更
【補正の内容】
【００４７】
この構成について、更に詳しく説明する。本実施例において、テストモード実行時には、ＦＤトレイ１１２が選択され、メディアＳは、定着装置１０２を通過した後、フィードローラ１１１ａ及び１１１ｂが備えられた定着後搬送経路である用紙搬送路ｃにて上方に進んで、排紙される。ここで、用紙搬送路ｃにおける用紙搬送方向で、上流側にフィードローラ１１１ａが配置され、下流側に１１１ｂが配置されている。
【手続補正１３】
【補正対象書類名】明細書
【補正対象項目名】００４８
【補正方法】変更
【補正の内容】
【００４８】
定着装置１０２から排紙トレイ１１２の間の用紙搬送路ｃで、用紙搬送路ｃに備えられたメディアＳを挟持するフィードローラ１１１ａと１１１ｂとの間に、図１（ａ）、（ｂ）に詳しく示すように、（Ａ）テストパターンであるパッチ３０１の濃度及び色度を測定するカラーセンサ１２０と、（Ｂ）カラーセンサ１２０を保持した第１の搬送ガイド１２１と、（Ｃ）その対向面に配設された、搬送ガイド１２１の受け面となる第２の搬送ガイドである搬送受けガイド１２３と、（Ｄ）搬送ガイド１２１とメディアＳとを当接させるバネ２０２と、（Ｅ）バネ２０２と搬送ガイド１２１を保持するガイドホルダ２０１と、（Ｆ）定着トナーパッチ測定時にガイドホルダ２０１を測定する位置Ａへ移動させ、測定時以外は用紙搬送路ｃからガイドホルダ２０１を退避させた位置Ｂへ移動させる駆動源１２２（本実施例では、ソレノイドを用いた）と、を有する。
【手続補正１４】
【補正対象書類名】明細書
【補正対象項目名】００４９
【補正方法】変更
【補正の内容】
【００４９】
ここで、測定位置Ａにおいて、メディアＳが上記（Ａ）のカラーセンサ１２０を保持する上記（Ｂ）の搬送ガイド１２１と上記（Ｃ）の搬送受けガイド１２３に挟まれ、上記のように、搬送ガイド１２１のメディアＳとの接触面に対して距離Ａ１だけへこんだ位置にカラーセンサ１２０が保持されているので、その時のセンサ１２０とパッチ３０１形成面との距離が常にＡ１となる。そして、上記（Ｄ）、（Ｅ）、（Ｆ）は、搬送ガイド１２１を測定位置Ａに到来したメディアＳに接触する、図１（ａ）に示す第１のポジションと、その位置から退避する、図１（ｂ）に示す第２のポジションとに移動させる駆動機構であり、これらは、用紙搬送路ｃの搬送ガイド１２１側に設置されたカラーセンサ駆動機構収容部１００に構成されている。
【手続補正１５】
【補正対象書類名】明細書
【補正対象項目名】００５０
【補正方法】変更
【補正の内容】
【００５０】
カラーセンサ駆動機構収容部１００は、搬送ガイド１２１の一面が用紙搬送路ｃを通過するメディアＳ表面に対して平行になるようにそれを保持する上記（Ｅ）のガイドホルダ２０１を有し、連結アーム２０１ａによって、カラーセンサ駆動機構収容部１００の用紙搬送路ｃから離れた側に配置された（Ｆ）の駆動源１２２と連結しており、駆動源１２２の駆動が連結アーム２０１ａを通してガイドホルダ２０１に伝わり、搬送ガイド１２１を、搬送路ｃにて搬送されるメディアＳに接離させる構成となる。尚、ここでは、搬送ガイド１２１の、メディアＳに接触する第１ポジションとそれから退避する第２ポジションとの間の移動は、用紙搬送路ｃに対して垂直方向に近づけたり離したりする移動である。
【手続補正１６】
【補正対象書類名】明細書
【補正対象項目名】００６３
【補正方法】変更
【補正の内容】
【００６３】
ここで、カラーセンサ１２０によるパッチ３０１の測定後、用紙搬送路ｃからガイドホルダ２０１を退避させ、図１（ｂ）に示す第２のポジションＢへ移動させる。このように、搬送ガイド１２１を測定位置Ａから退避させることで、通常プリントモード時、搬送ガイド１２１にメディアＳが衝突することでジャムが発生することを防止し、搬送ガイド１２１とメディアＳのこすれによるカラーセンサ１２０部への紙紛付着を防止することと、定着後のメディアＳと常に接触することで、カラーセンサ１２０の温度が上昇することによるカラーセンサ１２０の測定誤差を抑えることができる。又、印字面と接触することで画像不良の発生を防ぐことができ、高品位なカラー原稿を作成することができる。
【手続補正１７】
【補正対象書類名】図面
【補正対象項目名】図１
【補正方法】変更
【補正の内容】
【図１】
2005292431.tif 000001